(57)【特許請求の範囲】
【請求項１】
紙を主材料とする簡易容器において、
前記簡易容器の少なくとも主要部を構成する原紙の容器の外側になる外表面に紫外領域から赤外領域までの全波長域の光線を遮断するカーボンブラックを混入した黒色のインキ層が形成されるとともに、
該黒色のインキ層の外表面上であって容器の外側になる表面上に明度が高い色のインキ層が該容器の外表面側になるように形成され、該明度が高い色のインキ層によって前記全波長域の光を遮断する前記黒色のインキ層の色を隠し、
前記明度が高い色のインキ層の外側にコート層が形成されて外表面に印刷を行なう際の印刷性を改善することを特徴とする紙製簡易容器。
【請求項２】
原紙が単層のパルプから成る上質紙であることを特徴とする請求項１に記載の紙製簡易容器。
【請求項３】
カップ状をなすとともに、少なくとも胴の部分を構成する原紙の容器の外側になる外表面に前記全波長域の光線を遮断するインキ層と前記明度の高い色のインキ層とが、該明度の高い色のインキ層が外側になるように形成されることを特徴とする請求項１に記載の紙製簡易容器。
【請求項４】
前記明度が高い色のインキ層が白色のインキ層であることを特徴とする請求項１に記載の紙製簡易容器。
【発明の詳細な説明】
【０００１】
【発明の属する技術分野】
本発明は紙製簡易容器に係り、とくに紙を主材料とする紙製簡易容器に関する。
【０００２】
【従来の技術】
各種の食品や飲料を充填して供給するために、使捨て式の紙製の簡易容器が広く用いられている。この種の簡易容器は例えば扇形の原紙を巻いて円錐台状に構成するとともに、底部開口を円形の底板によって閉塞するようにした構造をなしており、内部に各種の食品や飲料を充填するとともに、上部開口を蓋材によってシールするか、蓋を装着することによって、物流に供されるようになっている。
このような紙製簡易容器は比較的低コストで供給することができる。また使用後においては、焼却処理が可能であって、合成樹脂製容器のような廃棄物公害を発生し難いことから、広範囲の用途に広く用いられている。
【０００３】
このような紙製簡易容器によって、例えば抹茶を混入したアイスクリームを充填して供給すると、光線が紙製簡易容器の胴の部分を透過してアイスクリーム中の抹茶を変質させる。アイスクリームに混入されている抹茶に光が照射されると、茶色に変色し、香が飛ぶとともに風味が劣化する。なお通常の紙製簡易容器はほぼ４００ｎｍ以上の波長の光線をほぼ透過することが確認されている。
【０００４】
抹茶を混入したアイスクリームのように、光線が照射された場合に内容物の品質が劣化する場合には、アルミニウム箔を積層した簡易容器を用いるようにしている。アルミニウム箔を積層した紙製簡易容器は紫外領域から赤外領域までのほぼ全波長域の光線を完全に遮断することができる。従ってアルミニウム箔をラミネートした紙によって製造された紙製簡易容器によれば、光による内容物の劣化が防止できる。
【０００５】
一方で通常の食品の充填の際には、充填包装を終った後に内容物中に金属の異物が混入していないかどうかを調べるために、金属探知器を使用して検査を行なうようにしている。ところがアルミニウム箔をラミネートした紙製簡易容器を用いて食品を包装した場合には、上述のような金属探知器を用いた金属製の異物のチェックができなくなるという不都合がある。またアルミニウム箔をラミネートした紙製簡易容器は焼却処分を行なうことができなくなり、使用後におけるゴミ処理に問題を残すことになる。
【０００６】
そこで本願発明者等は、特開平１０−２１１９１９号公報に開示されているように、容器を構成する紙を２重構造とし、これらの紙の接合面側において一方の紙の表面に印刷層を形成し、この印刷層によって所定の波長域あるいは全波長域の光を遮断するようにしている。
【０００７】
図６はこのような容器の胴の部分の原紙の構造を示すものであって、胴の部分は外側の原紙１と内側の原紙２とから構成され、外側の原紙１の外表面にコート層３が形成されるとともに、外側の原紙１の内表面には印刷層４が形成され、この印刷層４が接着層５を介して内側の原紙２に接合されるようになっている。そして内側の原紙２の内表面にラミネートフィルム６が接合されるようになっている。
【０００８】
【発明が解決しようとする課題】
従来のこような構造の遮光性を有する紙製簡易容器によれば、外側の原紙１と内側の原紙２の２層構造をなす原紙によって成形されるために、１層の紙から成る簡易容器に比べて剛性が高すぎ、成形が非常に難しくなる問題がある。また２層構造にすると原紙の使用量が増加するために、これによってコストアップの原因になる。また２層構造の簡易容器において、成形を容易にするために剛性を下げようとすると、薄い原紙１、２をそれぞれ用いることになるが、高品質でしかも薄い原紙を用いなければならないために、さらにコストが増大する。
【０００９】
またこのような構造の容器は、外側の原紙１と内側の原紙２との間に形成される印刷層４として広い波長域の光線を遮断することが可能な黒色のインキ層を形成すると、このような黒色のインキ層が外側の原紙１を通して内側から透けて見えるようになり、容器の外観が黒ずんでしまい、これによって容器の外観を悪化させる。とくに成形性を考慮して外側の原紙１の厚さを薄くするとこの傾向が著しくなる問題がある。
【００１０】
本発明はこのような問題点に鑑みてなされたものであって、成形が容易であって、外観が黒ずむことがなく、しかも遮光性を有する紙製簡易容器を提供することを目的とする。
【００１１】
【課題を解決するための手段】
本願の一発明は、紙を主材料とする簡易容器において、
前記簡易容器の少なくとも主要部を構成する原紙の容器の外側になる外表面に紫外領域から赤外領域までの全波長域の光線を遮断するカーボンブラックを混入した黒色のインキ層が形成されるとともに、
該黒色のインキ層の外表面上であって容器の外側になる表面上に明度が高い色のインキ層が該容器の外表面側になるように形成され、該明度が高い色のインキ層によって前記全波長域の光を遮断する前記黒色のインキ層の色を隠し、
前記明度が高い色のインキ層の外側にコート層が形成されて外表面に印刷を行なう際の印刷性を改善することを特徴とする紙製簡易容器に関するものである。
【００１２】
ここで、原紙が単層のパルプから成る上質紙であってよい。またカップ状をなすとともに、少なくとも胴の部分を構成する原紙の容器の外側になる外表面に前記全波長域の光線を遮断するインキ層と前記明度の高い色のインキ層とが、該明度の高い色のインキ層が外側になるように形成されてよい。またこのようなインキ層の外側に形成される前記明度が高い色のインキ層が白色のインキ層であることが好ましい。
【００１３】
【発明の実施の形態】
図１および図２は本発明の一実施の形態に係る紙製簡易容器を示すものである。この紙製簡易容器は例えばアイスクリームを充填して供給するための紙製簡易容器であってよい。
【００１４】
このような紙製簡易容器はほぼカップ状に構成され、胴１０の部分が円錐台状の形状をなしている。そして胴１０の上端が上部開口１１になっており、上部開口１１の周縁部を外側に巻込んでカール部１２を形成するようにしている。
【００１５】
これに対してこのような紙製簡易容器はその底部開口が底板１６によって閉塞されるようになっている。底板１６の外周側の部分は下方へ折曲げられて周璧部１７を構成しており、この周璧部１７を胴１０の下端側の部分と、胴１０の下端側の部分を折返した折返し部分１８とによって挟着するようにしており、これによって胴１０の下端側に底板１６を結合し、下部開口を底板１６によって閉塞するようにしている。
【００１６】
図３はこのような容器のとくに胴１０の部分を形成するための扇形の板紙原紙を展開して示したものである。また図４は上記扇形の原紙２１あるいは底板１６を構成する原紙の断面を示したものである。すなわちここでは容器の胴１０の部分および底板１６の部分がともに単層の原紙を用いて成形されている。
【００１７】
図４によってこのような板紙の構造を説明すると、原紙２１はパルプから成る例えば２００ｇ／ｍ2 の上質紙であって、その上には黒色の印刷インキ層２２が形成されている。なおここで本実施の形態においては、カーボンブラックを混入するようにしており、カーボンブラックを混入したインキ層２２になっている。
【００１８】
そしてこのようなインキ層２２の上側には白色の印刷インキ層２３が形成されている。そして白色のインキ層２３の外側にはコート層２４が形成されている。ここでコート層２４は、酸化チタンを練込んだカゼインから構成され、その外表面に印刷を行なう際の印刷性を改善するための層を構成している。これに対して原紙２１の内表面側であって内容物と接触する側にはポリエチレンフィルムから成るラミネートフィルム２５が接合されている。
【００１９】
図５はこのような２層の印刷層２２、２３を有する原紙２１の光線の透過特性を示したものである。この透過特性から明らかなように、本実施の形態の容器を形成するための原紙は、紫外領域から赤外領域までの全波長域の光をほぼ完全に遮断することが可能になっている。すなわちカーボンブラックを混入した黒色の印刷インキを用いた印刷層２２を原紙２１の外表面に形成することによって、アルミニウム箔をラミネートした容器とほぼ同様の光学的性質を有する容器を提供することが可能になる。従ってとくに光線の透過によって内容物が変質し易い食品や飲料を充填する場合には、カーボンブラックを混入した黒色の印刷インキ層２２を形成することが好ましい。
【００２０】
このように本実施の形態の紙製簡易容器は、一般のコップを構成する原紙に対して、インキ膜から成る印刷層２２、２３を光フィルタとし、ほぼ全波長域の光を遮断させるようにしたものである。従ってこのような容器内に抹茶を混入したアイスクリームを充填した場合に、外部からの光によってアイスクリーム中の抹茶が変質したり劣化したりすることが防止されるようになる。
【００２１】
しかもこのような容器は、光を遮断するための印刷インキ層２２の外側に白色の印刷インキ層２３を備えているために、黒色のインキ層２２の色が透けて見えることがなくなる。すなわち外側の白色のインキ層２３によって、容器の外観が黒ずんだようになることを防止することが可能になる。なおこの容器の外表面に必要に応じて印刷を施す場合には、コート層２４の上に形成すればよい。コート層２４は上述の如く酸化チタンを練込んだカゼインから構成されており、その上に良好な印刷を形成することが可能である。
【００２２】
またこのような紙製の簡易容器は、図４に示すような単層の原紙２１を成形して組立てられるようになっているために、２層構造の原紙を用いた場合に比べてはるかに成形が容易になり、通常の紙製の簡易容器と同様の方法によって容易に成形して組立てを行なうことが可能になる。従って紙製簡易容器の生産性を損うことがない。
【００２３】
またこのような紙製の簡易容器は、紙にアルミニウム箔を積層した原紙を用いるものではないので、金属探知機の使用を妨げない。通常の食品の充填工程においては、充填の完了後に、金属探知機を用いて内容物中に金属製の異物が混入しているかどうかの検査を行なう。このような検査は、印刷層２２、２３を積層した原紙２１によって成形された本実施の形態に係る紙製簡易容器においてそのまま適用することができ、金属製の異物が混入した食品を検出してはじき出すことが可能になる。
【００２４】
またこのような紙製簡易容器は、アルミニウム箔を接合して遮光性を得るようにしたものではなく、２層の印刷層２２、２３を形成した原紙２１を用いただけであるから、焼却処分を行なう際に不都合を生じない。またこのような紙は、原紙２１の外表面に印刷層２２、２３を形成したものであるから、通常の印刷紙と同様の再生を行なうことによって再利用が可能になり、リサイクルできるようになる。
【００２５】
なお上記実施の形態は、遮光性を得るための内側の印刷インキ層２２として、カーボンブラックを混入した黒色のインキ層２２を形成するようにしているが、特定の波長域の光を遮断したい場合には、その波長域の光を吸収するインキ層を形成すればよい。すなわち塗布されるインキ層の色に応じて、選択遮光性を有する紙製簡易容器を提供することが可能になる。
【００２６】
【発明の効果】
本願の一発明は、紙を主材料とする簡易容器において、簡易容器の少なくとも主要部を構成する原紙の容器の外側になる外表面に所定の波長域の光線を遮断するインキ層が形成されるとともに、該インキ層の外表面上であって容器の外側になる表面上に明度が高い色のインキ層が形成され、該明度が高い色のインキ層によって所定の波長域の光を遮断するインキ層の色を隠すようにしたものである。
【００２７】
従ってこのような紙製簡易容器によれば、所定の波長域の光線を遮断するインキ層によってこの容器に対して所定の波長域の光を遮断する性能を付与することが可能になる。しかも外側に形成される明度が高い色のインキ層によって、内側のインキ層の色が透けて見えることが防止されるようになる。
【００２８】
原紙が単層のパルプから成る上質紙である構成によれば、容器の成形性を損うことがなく、光線遮断性を有する紙製簡易容器を能率的に製造できるようになる。
【００２９】
カップ状をなすとともに、少なくとも胴の部分を構成する原紙の容器の外側になる外表面に所定の波長の光線を遮断するインキ層と明度の高い色のインキ層とが、該明度の高い色のインキ層が外側になるように形成される構成によれば、胴の部分に所定の波長域の光を遮断する機能が付与されるとともに、このような機能を与えるインキ層が外から透けて見えることがなくなる。
【００３０】
所定の波長域の光線を遮断するインキ層が黒色のインキ層である構成によれば、このような黒色のインキ層によってほぼ全波長域の光を遮断することが可能になる。
【００３１】
所定の波長域の光線を遮断するインキ層がカーボンブラックを混入した黒色のインキ層である構成によれば、このようなインキ層によって全波長域の光をほぼ完全に遮断することが可能になる。
【００３２】
明度が高い色のインキ層が白色のインキ層である構成によれば、白色のインキ層によって内側の光を遮断するためのインキ層が透けて見えることが防止されるようになる。
【００３３】
明度が高い色のインキ層の外側にコート層が形成される構成によれば、このようなコート層によって良好な外観を発現するとともに、外表面に良好な印刷を施すことが可能になる。
【図面の簡単な説明】
【図１】紙製簡易容器の外観斜視図である。
【図２】同要部縦断面図である。
【図３】紙製簡易容器の原紙の展開平面図である。
【図４】紙製簡易容器を構成する原紙の拡大断面図である。
【図５】カーボンブラックを混入した黒インキから成る印刷層を有する紙製簡易容器の光透過性を示すグラフである。
【図６】従来の紙製簡易容器の原紙の拡大縦断面図である。
【符号の説明】
１  外側の原紙
２  内側の原紙
３  コート層
４  印刷層
５  接着層
６  ラミネートフィルム
１０  胴
１１  上部開口
１２  カール部
１６  底板
１７  周壁部
１８  折返し部
２１  原紙
２２  印刷インキ層（黒）
２３  印刷インキ層（白）
２４  コート層
２５  ラミネートフィルム
【図１】
0004740433.tif 000002
【図２】
0004740433.tif 000003
【図３】
0004740433.tif 000004
【図４】
0004740433.tif 000005
【図５】
0004740433.tif 000006
【図６】
0004740433.tif 000007